(57)【特許請求の範囲】
【請求項１】
折り曲げ可能な材料から形成され、コードやケーブルを挿通させた状態で保持する把持部から延設される両側締結部を重ね合わせて、該両側締結部を１本のネジ部材で被固定材に固定するように形成されているハーネスクリップであって、
前記両側締結部に設けられているネジ挿通孔から離れた位置で、前記被固定材に宛がわれる部位に、該被固定材に対して係止させる回り止め手段を備え、
前記回り止め手段が、前記把持部に設けられている装着孔に挿通されて前記把持部に備えられる頭部付のピン部材であり、前記被固定材に設けられているピン係止孔に挿入されて係止されるように形成され、
前記ピン部材の頭部に、前記コードやケーブルの外周面に圧着させる移動防止部を備えていることを特徴とするハーネスクリップ。
【請求項２】
前記把持部の内周面に、前記コードやケーブルの外周面に圧着させる移動防止部を備えていることを特徴とする請求項１に記載のハーネスクリップ。
【請求項３】
前記ピン部材を前記ピン係止孔に挿入させたときに、該ピン係止孔の開口縁部に掛止されるピン抜止部を、前記ピン部材の軸部に備えていることを特徴とする請求項１または請求項２に記載のハーネスクリップ。
【発明の詳細な説明】
【技術分野】
【０００１】
本発明は、コードやケーブルなどを被固定材に固定するときに、１本のネジ部材を用いて被固定材に固定するための部品として使用されるハーネスクリップに係り、特に、コードやケーブルの機器類との接続端子部分に引っ張り力などの外力が加わらないように、ネジ部材による締結部を中心にハーネスクリップが回転することを防止する回り止め構造に関する。
【背景技術】
【０００２】
コードやケーブルなどを被固定材（被取付部）に固定するとき、再利用することが可能で、被固定材への取り付けまたは取り外しが容易に行うことが可能なハーネスクリップ（コードクリップ、ケーブルクリップ）が使用されている。
そして、配線された後に、コードやケーブルが何等かの原因によって配線方向に引っ張られるなどの外力を受けたときなどに、１本のネジ部材による被固定材への締結部を中心にハーネスクリップが回転することを防止するための回り止め構造を備えているハーネスクリップが知られている（例えば、特許文献１および特許文献２などを参照）。
【０００３】
ちなみに、ハーネスクリップが回転しないように回り止め構造を採用することで、コードやケーブルの損傷などを防ぐことができる。例えば、電源コードが電動機器などに接続端子（コネクター）を介して接続されている場合に、ハーネスクリップが回転し、その回転方向に電源コードが引っ張られることで、その引っ張り力が電動機器との接続端子に外力として加わり、接続端子が損傷、あるいは端子同士の接続が抜け外れてしまうなどの問題を引き起こすおそれを未然に防ぐことができる。
【特許文献１】実開平２−６６７８９号公報（明細書第４頁第１１行目〜第１３行目、第６頁第７行目〜第１１行目、および図１参照）
【特許文献２】特開平１０−３０４５３８号公報（段落番号００１７〜００１９、および図１、図２参照）
【発明の開示】
【発明が解決しようとする課題】
【０００４】
しかしながら、前記した従来の回り止め構造は、コードやケーブルなどを被固定部材に固定するときの取り付け作業性において面倒で手間が掛かるなどの取扱い上の問題を有している。
例えば、特許文献２の場合では、１本のネジ部材によって被固定材に固定される帯板状部の基端側の一部に凸状部を備えている。そして、帯板状部の裏面に位置して、該帯板状部とともにネジ部材により被固定材に取り付けられる固定座側に、前記凸状部の裏面凹みに係止させる突起を備えている。
つまり、特許文献２に記載の回り止め構造は、帯板状部側の凸状部と、固定座側の突起とから構成されている。そのために、コードやケーブルなどを被固定材に固定するときには、帯板状部の基端側裏面に別製作の固定座を同軸上に宛がい、なおかつ、凸状部の裏面凹みに対して突起を位置合せ係止させ、さらに、コードやケーブルなどの配線方向に対して帯板状部の向きを直交させた方向に保持した状態を保ちながら、ネジ部材による被固定材への取り付けを必要とする。
そのために、従来では、帯板状部の裏面に固定座を宛がう、凸状部と突起との位置合せ、そして、帯板状部を配線方向に対して直交させた方向に保持しながらネジ止めをければならないと言った煩わしい作業などによって手間取り、作業性が低下するなどの取扱い上の問題を有していた。
【０００５】
また、特許文献２においては、ハーネスクリップの回転を防止するための突起を備えている固定座は、１本のネジによってハーネスクリップとともに被固定材に取り付けられている。そのために、コードやケーブなどが配線方向に引っ張られる外力が加わったときに、固定座がハーネスクリップとともに回転してしまうおそれがあり、信頼性に欠ける。
【０００６】
また、特許文献１に記載のハーネスクリップの回り止め構造では、２点止めによって回り止めを効果的に図ることができる反面、部品点数が多く、構造が複雑であるが故に、安価に製造することができないばかりか、被固定材への取り付けが面倒で手間が掛かるものとなっていた。
【０００７】
そこで、本発明は、前記課題を解消するために創案されたものであり、簡単な構造で確実に回り止めすることが可能で、しかも、被固定材への取り付けが簡便で取扱い性に優れた回り止め構造を備えているハーネスクリップを提供することにある。
また、本発明は、回り止め構造による回転防止に加えて、コードやケーブルを把持部に移動不能に保持して、コードやケーブルの機器類との接続端子部分の損傷をより効果的に防ぐことができるように改良されたハーネスクリップを提供することになる。
【課題を解決するための手段】
【０００８】
前記課題を解決するために、本発明では、折り曲げ可能な材料から形成され、コードやケーブルを挿通させた状態で保持する把持部から延設される両側締結部を重ね合わせて、該両側締結部を１本のネジ部材で被固定材に固定するように形成されているハーネスクリップであって、前記両側締結部に設けられているネジ挿通孔から離れた位置で、前記被固定材に宛がわれる部位に、該被固定材に対して係止させる回り止め手段を備え、前記回り止め手段が、前記把持部に設けられている装着孔に挿通されて前記把持部に備えられる頭部付のピン部材であり、前記被固定材に設けられているピン係止孔に挿入されて係止されるように形成され、前記ピン部材の頭部に、前記コードやケーブルの外周面に圧着させる移動防止部を備えていることを特徴とする。
このような構成によれば、コードやケーブルを挿通させた状態で把持部に保持させ、両側締結部を重ね合わせて相互のネジ孔を合致させて１本のネジ部材を通して被固定材のネジ孔にねじ込み締結させることで、両側締結部のネジ挿通孔から離れた部位において備えられている回り止め手段の被固定部に対する係止によってハーネスクリップの回転を防ぐことができる。
また、被固定材のネジ孔に対するネジ部材の仮止め状態で、ネジ孔と、ピン部材が挿入される被固定材のピン係止との２点によって把持部の開口向きを、コードやケーブルの配線方向に向けた適切な姿勢（向き）とし得る。これにより、把持部の開口向きをコードやケーブルの配線方向に正確に位置決めさせた状態でネジ部材を本締めしてコードやケーブルを被固定材に固定することができる。
更に、ピン部材の頭部に備えられている移動防止部によって、コードやケーブルを把持部に移動不能に保持させることができる。この場合、把持部側に備えられている前記の円弧突起または突起群からなる後述する移動防止部と組み合わせることによって、コードやケーブルを把持部により一層効果的に、かつ、確実な保持構造として移動不能に保持させることができる。
【００１２】
また、本発明では、前記把持部の内周面に、前記コードやケーブルに圧着させる移動防止部を備えていることを特徴とする。
ここで、前記移動防止部としては、コードやケーブルの円周（輪切り断面）に沿うように略円弧状に突出させた円弧突起や槍状や円錐状に突出させた突起群などで形成さていることが好適であり、これらの円弧突起や突起群は、コードやケーブルの外周面に圧着するように、把持部の内周面やピン部材の頭部に備えられていることが好適なものとなる。
このような構成によれば、把持部の内周面に備えられている移動防止部によって、コードやケーブルを把持部に移動不能に保持(把持)させることができる。このとき、移動防止部が、コードやケーブルの円周方向に沿うように略円弧状に突出されている円弧突起や槍状などに突出されている突起群で形成されている場合、円弧突起は、コードやケーブルの軸方向に対して直交する円周方向においてコードやケーブルの外周面を圧着するように保持することとなり、突起群は、個々の突起がコードやケーブルの外周面に圧着するように保持することとなる。
【００１３】
また、本発明では、前記ピン部材を前記ピン係止孔に挿入させたときに、該ピン係止孔の開口縁部に掛止されるピン抜止部を、前記ピン部材の軸部に備えていることを特徴とする。
このような構成によれば、ピン部材は、ピン係止孔に挿入させたときに、ピン係止孔の開口縁部（挿入側開口縁部に対し、裏側の開口縁部）に掛止されるピン抜止部によって抜動不能に保持されることで、ハーネスクリップの回転を防ぐ回り止め構造として有効となる。つまり、コードやケーブルが配線方向に引っ張れるなどによる大きな外力が、ハーネスクリップに加わった場合でも、ピン部材は、ピン係止孔から抜けることなく、ネジ部材との２点支持でハーネスクリップの回転を防ぐ。
【発明の効果】
【００１４】
本発明のハーネスクリップは、以上のように構成されていることで、簡単な回り止め構造でありながらハーネスクリップを回転しないように被固定材に取り付けることができる。つまり、両側締結部のネジ挿通孔から離れた位置で、被固定部材に宛がわれる把持部に備えられる頭部付のピン部材などからなる回り止め手段の被固定部材のピン係止孔への挿入によって、ハーネスクリップをピン部材と１本のネジ部材との２点支持で被固定部材に取り付けることができる。
これにより、コードやケーブルが配線方向に引っ張られたとき、コードやケーブルの機器類との接続端子に引っ張り力などの外力が加わらないように、ハーネスクリップの回転を防止することができる。
また、ピン部材の頭部に備えられている移動防止部や把持部の内周面に備えられている移動防止部によって、コードやケーブルを把持部に移動不能に保持(把持)させることができる。つまり、コードやケーブルの軸方向（配線方向）における把持部による当初の保持位置からコードやケーブルが軸方向に移動することを防止することができる。
これにより、前記の回り止め構造によるハーネスクリップの回転防止に加えて、把持部に対するコードやケーブルの軸方向の移動を防止することができる。つまり、回り止め構造との相乗作用によりコードやケーブルの機器類との接続端子に引っ張り力などの外力が加わることをより効果的に防ぐことができる。
【００１６】
また、本発明では、ピン部材の軸部に、ピン係止孔の開口縁部に掛止させるピン抜止部を備えていることで、ピン部材がピン係止孔から抜け外れることはない。つまり、コードやケーブルが配線方向に引っ張れるなどによる大きな外力が、ネジ部材による締結部を中心にハーネスクリップが回転する方向に加わっても、ピン部材がピン係止孔から抜け外れることはなく、ネジ部材との２点支持でハーネスクリップの回転を防ぐ。
これにより、ハーネスクリップの回転をより一層確実に、かつ、効果的に防止することができる。
【発明を実施するための最良の形態】
【００１７】
以下、本発明の実施形態について、適宜図面を参照しながら詳細に説明する。
図１は、第１の実施形態に係る本発明のハーネスクリップを示す斜視図であり、図２は、同ハーネスクリップを用いてコードやケーブを被固定材に固定した状態を示す斜視図であり、図３は、同固定状態における縦断側面図である。
【００１８】
≪第１の実施形態に係るハーネスクリップの構成≫
ハーネスクリップＡは、作業者が手作業（指先など）によって折り曲げ可能な材料、例えば、柔軟性を有するナイロンや金属（アルミ材やバネ材）などの所望な材料から形成されている。本実施形態では、ナイロンを用いて形成している。
このハーネスクリップＡは、型成形によって一体に形成されるものであり、図１および図２に示すように、コードやケーブルＢを挿通させた状態で保持させるための把持部１と、この把持部１から延設されて、１本のネジ部材３によって被固定材Ｃに取り付けられるときに重ね合わせられる両側締結部２，２とを備えて構成されている。
【００１９】
≪把持部の構成≫
把持部１は、ナイロン製帯状部材の長さ方向の略中央部位を略円弧状に折り曲げる。つまり、両側締結部２，２を重ね合わせたときに、コードやケーブルＢを、その円周方向に保持（把持）し得る口径の略円弧状に形成されるようになっている。
そして、把持部１は、被固定材Ｃに宛がわれる円弧部位に、後記するピン部材７を挿通させて装着するための装着孔４を備えている。
【００２０】
≪両側締結部の構成≫
両側締結部２，２は、把持部１の双方端からそれぞれ延設されることで形成されるとともに、ネジ部材３のネジ挿通孔５をそれぞれ備えている。
ネジ挿通孔５は、両側締結部２，２が重ね合わせられたときに、図３に示すように、互いに開口軸芯が合致するように両側締結部２，２にそれぞれ形成されている。
これにより、図２および図３に示すように、重ね合わせた両側締結部２，２のネジ挿通孔５にネジ部材３を挿通させ、ネジ部材３を被固定材Ｃのネジ孔６にねじ込み締結させることで、コードやケーブルＢを円周方向に保持する把持部１を閉じた状態でハーネスクリップＡは被固定材Ｃに取り付けられる。
ちなみに、ネジ孔６は、バーリング加工によって被固定材Ｃに形成されている。
【００２１】
そして、このように形成されているハーネスクリップＡには、図２および図３に示すように、回り止め手段としてのピン部材７が備えられている。
【００２２】
≪ピン部材の構成≫
ピン部材７は、合成樹脂や金属などの所望な材料によって形成され、両側締結部２，２を被固定材Ｃに取り付ける１本のネジ部材３との協同（２点支持）で、ハーネスクリップＡの回転を防止する回り止め構造を構成する。
このピン部材７は、図１に示すように、軸部７ａと、この軸部７ａに一端側に一体に設けられる頭部７ｂとを備え、把持部１の装着孔４に挿通されて、該把持部１に備えられるように形成されている。なお、軸部７ｂは、中実状または中空状に形成されている。
そして、このピン部材７は、図３に示すように、両側締結部２，２が被固定材Ｃのネジ孔６にネジ部材３によってねじ込み締結されるときに、ネジ孔５に隣接する部位において被固定材Ｃに設けられているピン係止孔８に軸部７ａを挿通させることで、被固定材Ｃに係止されるように形成されている。
【００２３】
ピン係止孔８は、ハーネスクリップＡの両側締結部２，２のネジ挿通孔５と、把持部１の装着孔４との開口間隔（離間寸法）にて、ネジ孔６に隣接させた部位において被固定部材Ｃに設けられている。
これにより、両側締結部２，２のネジ挿通孔５に挿通させたネジ部材３を、被固定材Ｃのネジ孔６にねじ込み締結させるときに、把持部１に備えられているピン部材７の軸部７ａがピン係止孔８に対して芯ズレすることなく、該ピン係止孔８に確実に挿通された状態で係止されるようになっている。
【００２４】
［作用説明］
つぎに、以上のように、回り止め手段としてのピン部材６を把持部１に備えている第1の実施形態に係るハーネスクリップＡの作用について簡単に説明する。
図示を省略しているが、ここでは、その一例として、調理中に発生する排気流（汚染空気など）を捕集して屋外に排気するレンジフードのフード部を被固定材Ｃとし、そして、フード部内やフード部の上などに設置される送風機ユニットのファンモータに接続端子を介して一端側が接続され、他端側が室内電源に同じく接続端子を介して接続されるコード（電源コード）Ｂを、フード部に固定する場合と固定後について説明する。ここでは、図１から図３を適宜参照しながら説明する。
図１に二点鎖線で示すように、コードＢを把持部１に挿通させ、この状態で把持部１に備えられているピン部材７の軸部７ａを、フード部に設けられているピン挿通孔８に挿通させるとともに、重ね合わせた両側締結部２，２のネジ挿通孔５を、フード部に設けられているネジ孔６に合致（位置）させ、１本のネジ部材３によって両側締結部２，２をフード部に取り付ける。
これにより、ハーネスクリップＡは、図３に示すように、ネジ部材３とピン部材７との２点支持によってレンジフードのフード部に取り付けられるとともに、把持部１に保持されているコードＢをフード部に固定する。
【００２５】
このように構成されているハーネスクリップＡによれば、例えば、レンジフードの汚れを拭き取るなどの清掃のときなどに、コード（電源コード）Ｂが配線方向に引っ張れるなどによってハーネスクリップＡに外力が加わっても、ネジ部材３による締結部を中心にハーネスクリップＡが回転することを防止することができる。
これにより、コードＢのファンモータや室内電源との接続端子が損傷、あるいは端子同士の接続が抜け外れてしまうなどの問題を引き起こすおそれを未然に防ぐことができる。
【００２６】
また、ネジ部材３でハーネスクリップＡを被固定材Ｃとしてのフード部に取り付けるときに、把持部１に備えられているピン部材７をフード部のピン係止孔８に予め係止させた状態で行うことができるために、ネジ部材３をネジ孔６にねじ込み締結させている作業中において、ハーネスクリップＡの向きが変わるなどの心配はなく、コードＢの配線方向に向けた適切な姿勢（向き）にてハーネスクリップＡをフード部（被固定材Ｃ）に取り付けることができる。
これにより、従来のように、配線方向に把持部１の向きを作業者自身が保持しながらネジ止めを行わなければならないと言った煩わしさがなくなり、ハーネスクリップＡの取り付け作業性が格段に改善されることとなる。
【００２７】
≪第２の実施形態に係るハーネスクリップの構成≫
図４は、第２の実施形態に係る本発明のハーネスクリップを用いてコードやケーブルを被固定材に固定した状態を示す縦断側面図である。
この第２の実施形態に係るハーネスクリップＡ−１は、図４に示すように、回り止め手段としてのピン部材７−１を、把持部１に一体の備えた構成を採用したものであり、それ以外の構成においては前記の第１の実施形態と基本的に同じ構成であることから、同じ構成要素に同じ符合を付することで重複説明は省略する。
すなわち、コードやケーブルＢを被固定材Ｃに固定するとき、被固定材Ｃに宛がわれる把持部の円弧部位にピン部材７−１を、型成形によって一体に備えている。
これにより、被固定部材Ｃに設けられているピン係止孔８に挿入させて係止させる回り止め用のピン部材７−１を把持部１に備えたハーネスクリップＡ−１を安価に製造することができる。
【００２８】
≪第３の実施形態に係るハーネスクリップの構成≫
図５は、第３の実施形態に係る本発明のハーネスクリップを用いてコードやケーブルを被固定材に固定した状態を示す縦断側面図であり、図６は、同ハーネスクリップのピン部材を示す斜視図である。
この第３の実施形態に係るハーネスクリップＡ−２では、図５および図６に示すように、ピン部材７の軸部７ａにピン抜止部９を備えた構成を採用したものであり、それ以外の構成においては前記の第１の実施形態と基本的に同じ構成であることから、同じ構成要素に同じ符合を付することで重複説明は省略する。
すなわち、ピン部材７は、図５に示すように、ピン係止孔８に挿入させたときに、該ピン係止孔８の開口縁部に掛止されるピン抜止部９を軸部７ａに備えている。
【００２９】
≪ピン抜止部の構成≫
ピン抜止部９は、図６に示すように、ピン部材７の軸部の周りにおいて四方向に突出状に形成されている。
このピン抜止部９は、前記の第１の実施形態において詳述の合成樹脂や金属など所望な材料、特にナイロンなどを含む適度の弾性作用を有する合成樹脂からなるピン部材７の頭部７ｂから軸方向に、ハーネスクリップＡの板厚と被固定材Ｃの板厚との双方厚に相当する部位において、頭部７ａ側に向けた外向き傾斜状に形成されている。
これにより、ピン部材７は、ピン係止孔８に挿入させるときに弾性圧縮し、ピン係止孔８を通過して、該ピン係止孔８の裏側開口部側に抜けたときに元の突出形態に弾性復帰して、図５に示すように、ピン係止孔８の裏側開口部の縁部に掛止されるピン抜止部９によって抜動不能に保持されることで、ハーネスクリップＡ−２の回転をより一層確実に、かつ、効果的に防ぐことができる。
つまり、コードやケーブルＢが配線方向に強く引っ張れるなどによって大きな外力が、ハーネスクリップＡ−２に加わった場合でも、ピン部材７は、ピン係止孔８から抜けることなく、ネジ部材３との２点支持でハーネスクリップＡ−２の回転を確実に防ぐ。
【００３０】
なお、図示を省略しているが、ピン抜止部９は、バネ作用によって傾斜下端側を支点に開閉するように形成することができる。つまり、ピン部材７の軸部７ａをピン係止孔８に挿入させるときに閉じ、ピン係止部８を通過して、該ピン係止部８の裏側の開口部側に抜けたときに開いて、該開口部の縁部に掛止するように形成することができる。
この場合、ピン部材７を、バネ作用を有する所望な材料を用いて形成するとともに軸部７ａを中空状とし、この軸部７ａにスリットなどを設けて、ピン抜止部９を切り起こすように形成することができる。
【００３１】
≪第４の実施形態に係るハーネスクリップの構成≫
図７は、第４の実施形態に係る本発明のハーネスクリップを用いてコードやケーブルを被固定材に固定した状態を示す縦断側面図である。
この第４の実施形態に係るハーネスクリップＡ−３では、図および図に示すように、把持部１の内周面と、ピン部材７の頭部７ｂに、コードやケーブルＢの外周面に圧着させる移動防止部１０，１１を備えた構成を採用したものであり、それ以外の構成においては前記の第１の実施形態と基本的に同じ構成であることから、同じ構成要素に同じ符合を付することで重複説明は省略する。
すなわち、図７に示すように、把持部１の内周面、そしてピン部材７の頭部７ｂの突端面に移動防止部１０を備えている。
【００３２】
≪移動防止部の構成≫
図８は、ハーネスクリップを展開させた状態で示す斜視図であり、図９は、ピン部材を示す斜視図である。
移動防止部１０，１１は、把持部１にコードやケーブルＢを挿通させ、重ね合せた両側締結部２，２をネジ部材３によって被固定材Ｃのネジ孔６にねじ込み締結させたときに、コードやケーブルＢの外周面に圧着し、コードやケーブルＢの軸方向（配線方向）への移動を防ぐ。つまり、コードやケーブルＢの軸方向における把持部１による当初の保持位置からコードやケーブルＢが軸方向に移動することを防ぐ役目をなすものである。
この移動防止部１０は、図８に示すように、把持部１の内周面においては、略截頭円錐形状などに突出された無数の突起群から形成されている。また、移動防止部１１は、図９に示すように、ピン部材７の頭部７ｂにおいては、三方や四方などの数方向に向けて突出させた突起群から形成されている。
【００３３】
［作用説明］
このように、把持部１の内周面、ピン部材７の頭部７ｂにそれぞれ突起群からなる移動防止部１０，１１を備えているハーネスクリップＡ−３によれば、前記の第１の実施形態に記載のネジ部材３による締結部を中心にハーネスクリップＡが回転することを防止する回転防止作用に加えて、コードやケーブルＢを把持部１に軸方向へ移動不能に保持させることができる。
これにより、ピン部材７とビス部材３との２点支持によるハーネスクリップＡ−３の回り止め構造との相乗作用により、コードやケーブルＢが配線方向に引っ張られたときなどの外力が、コードやケーブルＢの機器類との接続端子（図示省略)に加わることを、より一層確実に、かつ、効果的に防ぐことができる。
【００３４】
図１０は、他の実施形態の移動防止部を備えたハーネスクリップを用いてコードやケーブルを被固定材に固定した状態を示す縦断側面図であり、図１１は、ピン部材を示す斜視図である。
この他の実施形態の移動防止部１２を備えているハーネスクリップＡ−３は、図１０に示すように、ピン部材７の頭部７ｂに、コードやケーブルＢの外周面を、円周（輪切り断面）に沿うように圧着させるための移動防止部１２を備えた構成を採用したものであり、それ以外の構成においては前記の第１の実施形態と基本的に同じ構成であることから、同じ構成要素に同じ符合を付することで重複説明は省略する。
すなわち、移動防止部１２は、図１１に示すように、略長方形状に形成されているピン部材７の頭部７ｂに、短辺側から見て略円弧状で、長辺方向に並列させた複数本の円弧突起から形成されている。
これにより、図１０に示すように、ネジ部材３をネジ孔６にねじ込み締結させたときに、複数本の円弧突起からなる移動防止部１２が、コードやケーブルＢの外周面を円周方向に締付け圧着し、コードやケーブルＢの軸方向（配線方向）への移動を防ぐ。
【００３５】
なお、図示を省略しているが、移動防止部１０，１１，１２としては、前記した突起群や円弧突起に限定されるものではなく、例えば、梨地模様、あるいはコードやケーブルＢの円周方向に沿うように把持部１の内周面やピン部材７の頭部７ｂに施される線模様群、あるいは、コードやケーブルＢの円周方向と軸方向との双方に沿うように把持部１の内周面やピン部材７の頭部７ｂに施される交差された線模様群などによって形成される滑り止め構造にて形成することができる。これにより、コードやケーブルＢを滑り止め作用によって把持部１に移動不能に保持させることができる。
【００３６】
また、移動防止部１０を、摩擦抵抗が大きいゴム材などを用いて形成することができる。この場合、ゴム材は把持部１の内周面やピン部材７の頭部７ｂに貼り付けるなどの適宜の固着手段によって備えることができる。これにより、コードやケーブルＢを摩擦作用（グリップ力）によって把持部１に移動不能に保持させることができる。
【図面の簡単な説明】
【００３７】
【図１】第1の実施形態に係る本発明のハーネスクリップを示す斜視図である。
【図２】同ハーネスクリップを用いてコードやケーブルを被固定材に固定した状態を示す斜視図である。
【図３】同固定状態における縦断側面図である。
【図４】第２の実施形態に係る本発明のハーネスクリップを用いてコードやケーブルを被固定材に固定した状態を示す縦断側面図である。
【図５】第３の実施形態に係る本発明のハーネスクリップを用いてコードやケーブルを被固定材に固定した状態を示す縦断側面図である。
【図６】同ハーネスクリップのピン部材を示す斜視図である。
【図７】第４の実施形態に係る本発明のハーネスクリップを用いてコードやケーブルを被固定材に固定した状態を示す縦断側面図である。
【図８】同ハーネスクリップを展開させた状態で示す斜視図である。
【図９】同ハーネスクリップのピン部材を示す斜視図である。
【図１０】他の実施形態の移動防止部を備えたハーネスクリップを用いてコードやケーブルを被固定材に固定した状態を示す縦断側面図である。
【図１１】同ハーネスクリップのピン部材を示す斜視図である。
【符号の説明】
【００３８】
Ａ，Ａ−１，Ａ−２，Ａ−３  ハーネスクリップ
１      把持部
２      両側締結部
３      ネジ部材
４      装着孔
５      ネジ挿通孔
６      ネジ孔
７，７−１  ピン部材（回り止め手段）
７ａ    軸部
７ｂ    頭部
８      ピン係止孔
９      ピン抜止部
１０，１１，１２  移動防止部
Ｂ      コードやケーブル
Ｃ      被固定材
【図１】
0005160960.tif 000002
【図２】
0005160960.tif 000003
【図３】
0005160960.tif 000004
【図４】
0005160960.tif 000005
【図５】
0005160960.tif 000006
【図６】
0005160960.tif 000007
【図７】
0005160960.tif 000008
【図８】
0005160960.tif 000009
【図９】
0005160960.tif 000010
【図１０】
0005160960.tif 000011
【図１１】
0005160960.tif 000012